(57)【要約】【課題】通水容積と紫外線照射量を増大させて処理能力の向上を図ることができる水殺菌装置を提供すること。【解決手段】保護管３内に収容された紫外線放電灯４を外筒ケース２内に設置し、前記紫外線放電灯４の長手方向両端に接続された給電線１１，１２から印加される電圧によって紫外線放電灯４を点灯させ、前記外筒ケース２内を流れる水を紫外線によって殺菌する水殺菌装置１において、前記保護管３をその長手方向両端が開口する筒状部材で構成し、該保護管３内に収容された前記紫外線放電灯４の長手方向両端に接続された前記給電線１１，１２のうち、一方の給電線１２を前記外筒ケース２外に取り出して他方の給電線１１側に引き廻す。又、前記外筒ケース２の外周の一部に厚肉部２Ａを一体に形成し、該厚肉部２Ａに前記一方の給電線１２を通すための円孔９を形成する。【選択図】図５
2014100689.tif 000002
【特許請求の範囲】
【請求項１】
保護管内に収容された紫外線放電灯を外筒ケース内に設置し、前記紫外線放電灯の長手方向両端に接続された給電線から印加される電圧によって紫外線放電灯を点灯させ、前記外筒ケース内を流れる水を紫外線によって殺菌する水殺菌装置において、
前記保護管をその長手方向両端が開口する筒状部材で構成し、該保護管内に収容された前記紫外線放電灯の長手方向両端に接続された前記給電線の一方を前記外筒ケース外に取り出して他方の給電線側に引き廻したことを特徴とする水殺菌装置。
【請求項２】
前記外筒ケースの外周の一部に厚肉部を一体に形成し、該厚肉部に前記一方の給電線を通すための孔を形成したことを特徴とする請求項１記載の水殺菌装置。
【発明の詳細な説明】
【技術分野】
【０００１】
本発明は、紫外線放電灯から照射される紫外線によって水を殺菌するための水殺菌装置に関するものである。
【背景技術】
【０００２】
例えば、浄水器やウォータークーラー、加湿器等に使用される水を殺菌する水殺菌装置として、紫外線放電灯から照射される紫外線によって水を殺菌する方式を採用するものが知られている。ここで、このような水殺菌装置の一例を図７に示す（特許文献１参照）。
【０００３】
即ち、図７は従来の水殺菌装置の断面図であり、図示の水殺菌装置１０１は、縦置きされた有底筒状の外筒ケース１０２を備えており、この外筒ケース１０２の上端側部と下端側部には流入口１０２ａと流出口１０２ｂがそれぞれ開口し、これらの流入口１０２ａと流出口１０２ｂには循環パイプ１１７，１１８がそれぞれ接続されている。
【０００４】
又、上記外筒ケース１０２内の中心部には、下端が閉塞された有底筒状（試験管型）の石英ガラス製の保護管１０３が上方から差し込まれて垂直に保持されており、その内部には紫外線放電灯（殺菌灯）１０４が収容されている。そして、これらの保護管１０３と紫外線放電灯１０４が収容された外筒ケース１０２の上端開口部は蓋部材１０５によって閉塞されており、保護管１０３内に収容された紫外線放電灯１０４の軸方向両端（図７の上下端）には給電線１１１，１１２がそれぞれ接続されている。ここで、紫外線放電灯１０４の下端に接側された一方の給電線１１２は、紫外線放電灯１０４の下端からＵ字状に折り返されて保護管１０３内を上方に向かい、他方の給電線１１１と共に保護管１０３の外部へと引き出され、両給電線１１１，１１２は不図示の電源に接続されている。
【０００５】
而して、不図示の電源から給電線１１１，１１２を経て紫外線放電灯１０４に電圧が印加されると該紫外線放電灯１０４が点灯するが、外筒ケース１０２内においては、流入口１０２ａから流入した水が流出口１０２ｂから排出される過程で紫外線放電灯１０４からの紫外線の照射を受けて殺菌処理される。
【先行技術文献】
【特許文献】
【０００６】
【特許文献１】特開平１０−１７９６９９号公報
【発明の概要】
【発明が解決しようとする課題】
【０００７】
しかしながら、図７に示した従来の水殺菌装置１０１においては、紫外線放電灯１０４が有底筒状の保護管１０３内に収容されているため、その下端に接続された一方の給電線１１２を保護管１０３内でＵ字状に折り返して他方の給電線１１１の方向（図７の上方）に引き廻す必要があるため、保護管１０３の内径を紫外線放電灯１０４の外径に給電線１１２の外径を加味した大きさに設定する必要があり、保護管１０３が必然的に太くなり、この保護管１０３の容積が外筒ケース１０２内の通水容積を圧迫するという問題があった。
【０００８】
又、保護管１０３内で折り返される給電線１１２が紫外線の影となって紫外線の照射量が減り、その分だけ殺菌効果が低下するという問題もあった。
【０００９】
本発明は上記観点に鑑みてなされたもので、その目的とする処は、通水容積と紫外線照射量を増大させて処理能力の向上を図ることができる水殺菌装置を提供することにある。
【課題を解決するための手段】
【００１０】
上記目的を達成するため、請求項１記載の発明は、保護管内に収容された紫外線放電灯を外筒ケース内に設置し、前記紫外線放電灯の長手方向両端に接続された給電線から印加される電圧によって紫外線放電灯を点灯させ、前記外筒ケース内を流れる水を紫外線によって殺菌する水殺菌装置において、前記保護管をその長手方向両端が開口する筒状部材で構成し、該保護管内に収容された前記紫外線放電灯の長手方向両端に接続された前記給電線の一方を前記外筒ケース外に取り出して他方の給電線側に引き廻したことを特徴とする。
【００１１】
請求項２記載の発明は、請求項１記載の発明において、前記外筒ケースの外周の一部に厚肉部を一体に形成し、該厚肉部に前記一方の給電線を通すための孔を形成したことを特徴とする。
【発明の効果】
【００１２】
請求項１記載の発明によれば、保護管をその長手方向両端が開口する筒状部材で構成し、該保護管内に収容された紫外線放電灯の長手方向両端に接続された給電線の一方を外筒ケース外に取り出して他方の給電線側に引き廻すようにしたため、保護管内に給電線を通す必要がなく、これによって保護管の内径を小さくして細くすることでき、その容積の減少分だけ通水容積を増大させて処理能力を高めることができる。又、給電線は外筒ケースの外部を引き廻されて外筒ケース内を通らないため、この給電線が紫外線の陰になることがなく、紫外線放射量が増大して高い殺菌効果が得られる。このように通水容積や紫外線照射量が増えて処理能力が高められる結果、当該水殺菌装置の小型化も可能となる。
【００１３】
請求項２記載の発明によれば、保護管から引き出された一方の給電線を外筒ケースの厚肉部に形成された孔に通して他方の給電線側へと導くことができ、該給電線が外筒ケース外へ露出することがないため、当該水殺菌装置の外観性が高められるとともに、給電線の他の部品との干渉が防がれる。
【図面の簡単な説明】
【００１４】
【図１】本発明に係る水殺菌装置の斜視図である。
【図２】本発明に係る水殺菌装置の正面図である。
【図３】本発明に係る水殺菌装置の平面図である。
【図４】本発明に係る水殺菌装置の側面図である。
【図５】図４のＡ−Ａ線断面図である。
【図６】図４のＢ−Ｂ線断面図である。
【図７】従来の水殺菌装置の断面図である。
【発明を実施するための形態】
【００１５】
以下に本発明の実施の形態を添付図面に基づいて説明する。
【００１６】
図１は本発明に係る水殺菌装置の斜視図、図２は同水殺菌装置の正面図、図３は同水殺菌装置の平面図、図４は同水殺菌装置の側面図、図５は図４のＡ−Ａ線断面図、図６は図４のＢ−Ｂ線断面図である。
【００１７】
本実施の形態に係る水殺菌装置１は、図５に示すように、円筒状の外筒ケース２の軸中心部に保護管３とその内部に収容された紫外線放電管４を配置して構成されており、外筒ケース２の長手方向両端の開口部は、シール構造を備えるＯリングキャップ５とソケットキャップ６によってそれぞれ閉塞されている。
【００１８】
上記外筒ケース２は、紫外線による品質劣化が比較的少ない硬質塩化ビニルやフッ素系樹脂によって構成されており、その上端外周には一定幅の矩形ブロック状の厚肉部２Ａが長手方向に沿って一体に形成されている。そして、外筒ケース２の肉厚部２Ａの長手方向両端には、図５に示すように流入口２ａと流出口２ｂがそれぞれ形成されており、これらの流入口２ａと流出口２ｂにはＬ字状に屈曲したプラグ７，８がそれぞれ取り付けられている。又、図１、図４及び図６に示すように、外筒ケース２の厚肉部２Ａには、左右２本の円孔９が長手方向に沿って平行に貫設されるとともに、長手方向中央部には、各円孔９にそれぞれ連通する円孔１０が縦方向に形成されており、これらの円孔１０は厚肉部２Ａの上面に開口している。尚、図示しないが、プラグ７，８には給水パイプと排水パイプがそれぞれ接続されている。
【００１９】
前記保護管３は、その長手方向両端が開口する円筒状部材として構成されており、その材質には紫外線の吸収が少ない石英ガラスが使用されている。そして、この保護管３の内部には細長い棒状の前記紫外線放電灯４が収容されており、該紫外線放電灯４の長手方向両端には給電線（ワイヤーハーネス）がそれぞれ接続されている。尚、本実施の形態では、紫外線放電灯４には冷陰極放電灯が使用されている。
【００２０】
ところで、外筒ケース２の長手方向両端の開口部は前述のようにＯリングキャップ５とソケットキャップ６によってそれぞれ閉塞されているが、図５に示すように、各Ｏリングキャップ５はリング状に成形されており、その中心に形成された円孔５ａには紫外線放電灯４の軸方向端部が挿通しており、その挿通部はＯリング１３によってシールされている。又、各Ｏリングキャップ５の外周は、これに嵌着されたＯリング１４を介して外筒ケース２の開口部内周に嵌合しており、該Ｏリングキャップ５の外周と外筒ケース２の開口部内周とがＯリング１４によってシールされている。
【００２１】
そして、各Ｏリングキャップ５の外側には、外筒ケース２の開口部内周に嵌合する前記ソケットキャップ６がそれぞれ当接しており、各ソケットキャップ６は、外筒ケース２の開口部内周に嵌着されたＣリング１５（図４参照）によってそれそれ固定されている。又、各ソケットキャップ６の中心部には外方に向かって膨出する膨出部６Ａがそれぞれ形成されており、各膨出部６Ａの頂部には円孔６ａがそれぞれ形成されている。ここで、紫外線放電灯４の長手方向端部に接続された各給電線１１，１２の接続端には、各ソケットキャップ６の膨出部６Ａ内に収容保持されたゴムソケット１６がそれぞれ挿通しており、各ゴムソケット１６から延びる給電線１１，１２は、各ソケットキャップ６の膨出部６Ａに形成された円孔６ａを通って外部へと引き出されている。
【００２２】
而して、本実施の形態では、図１及び図６に示すように、一方（図６の右側）の給電線１２は、外筒ケース２から引き出された後に上方に向かって横Ｕ字状に折り返され、外筒ケース２の厚肉部２Ａに形成された円孔９に通されて他方の給電線１１の方向（図６の左方）に向かって水平に延び、最後は厚肉部２Ａから引き出されて他方（図６の左側）の給電線１１と共に不図示の電源に接続されている。
【００２３】
以上のように構成された水殺菌装置１において、不図示の電源から給電線１１，１２を経て紫外線放電灯４に電圧が印加されると、該紫外線放電灯４が点灯するが、外筒ケース２内においては、不図示の給水パイプからプラグ７及び流入口２ａから流入した水が流出口２ｂからプラグ８及び不図示の排水パイプを経て排出されるが、このように外筒ケース２内を流れる水に紫外線放電灯４から出射する紫外線が照射されると、この紫外線の殺菌作用によって水が殺菌処理される。
【００２４】
而して、本実施の形態に係る水殺菌装置１においては、保護管３をその長手方向両端が開口する筒状部材で構成し、該保護管３内に収容された紫外線放電灯４の長手方向両端に接続された給電線１１，１２のうち、一方の給電線１２を外筒ケース２外に取り出して他方の給電線１１側に引き廻すようにしたため、保護管３内に給電線１２を通す必要がない。このため、保護管３の内径を小さくして細くすることでき、その容積の減少分だけ外筒ケース２への通水容積を増大させて処理能力を高めることができる。又、給電線１２は外筒ケース２の外部を引き廻されて外筒ケース２内を通らないため、この給電線１２が紫外線の陰になることがなく、紫外線放射量が増大して高い殺菌効果が得られる。このように通水容積や紫外線照射量が増えて処理能力が高められる結果、当該水殺菌装置１の小型化も可能となる。
【００２５】
又、本実施の形態においては、保護管３から引き出された一方の給電線１２を外筒ケース２の厚肉部２Ａに形成された孔９に通して他方の給電線１１側へと導くことができ、該給電線１２が外筒ケース２外へ露出することがないため、当該水殺菌装置１の外観性が高められるとともに、給電線１２の他の部品との干渉が防がれる。尚、給電線１２を外筒ケース２の厚肉部２Ａの長手方向中央に開口する円孔１０から外部に引き出すようにしても良い。
【産業上の利用可能性】
【００２６】
本発明は、浄水器、ウォータークーラー、加湿器、食器洗い洗浄器、洗濯機、歯科用デンタルチェア等に使用される水殺菌装置に対して好適に適用可能である。
【符号の説明】
【００２７】
１          水殺菌装置
２          外筒ケース
２Ａ        外筒ケースの厚肉部
２ａ        外筒ケースの流入口
２ｂ        外筒ケースの抽出口
３          保護管
４          紫外線放電灯
５          Ｏリングキャップ
５ａ        Ｏリングキャップの円孔
６          ソケットキャップ
６Ａ        ソケットキャップの膨出部
６ａ        ソケットキャップの円孔
７，８      プラグ
９，１０    円孔（孔）
１１，１２  給電線
１３，１４  Ｏリング
１５        Ｃリング
１６        ゴムソケット
【図１】
2014100689.tif 000003
【図２】
2014100689.tif 000004
【図３】
2014100689.tif 000005
【図４】
2014100689.tif 000006
【図５】
2014100689.tif 000007
【図６】
2014100689.tif 000008
【図７】
2014100689.tif 000009